(57)【要約】【課題】  目的とする視野の中に時計を自由に位置せしめることができる衣服着用時計の提供。【解決手段】  紐状物を出入自在に巻き取り収納したリール部の外側に、衣服への装着固定具を付設すると共に、当該紐状物の先部に時計を取り付けた。【選択図】  図２
0003109895.tif 000002
【実用新案登録請求の範囲】
【請求項１】
紐状物を出入自在に巻き取り収納したリール部の外側に、衣服への装着固定具を付設すると共に、当該紐状物の先部に時計を取り付けたことを特徴とする衣服着用時計。
【請求項２】
リール部が、紐状物の自動巻き戻し機構を備えていることを特徴とする請求項１記載の衣服着用時計。
【請求項３】
紐状物の材質が、繊維、皮革、合成樹脂又は金属であることを特徴とする請求項１又は２記載の衣服着用時計。
【請求項４】
紐状物の形態が、丸紐状、平ベルト状又は鎖状であることを特徴とする請求項１〜３の何れか１項記載の衣服着用時計。
【請求項５】
紐状物の長さが、３０〜１００cmであることを特徴とする請求項１〜４の何れか１項記載の衣服着用時計。
【請求項６】
衣服への装着固定具が、挾持クリップ、係止ピン又は逆Ｕ字状折曲片であることを特徴とする請求項１〜５の何れか１項記載の衣服着用時計。
【請求項７】
時計が、紐状物の先部に着脱自在に取り付けられていることを特徴とする請求項１〜６の何れか１項記載の衣服着用時計。
【請求項８】
時計が、着脱自在の連結具を介して紐状物の先部に取り付けられていることを特徴とする請求項１〜７の何れか１項記載の衣服着用時計。
【請求項９】
着脱自在の連結具が、弾性係脱有端リングであることを特徴とする請求項８記載の衣服着用時計。
【請求項１０】
時計の文字盤の６時方向側が、紐状物の先部に取り付けられていることを特徴とする請求項１〜９の何れか１項記載の衣服着用時計。
【請求項１１】
医療従事者用であることを特徴とする請求項１〜１０の何れか１項記載の衣服着用時計。
【考案の詳細な説明】
【技術分野】
【０００１】
本考案は衣服着用時計、特に看護師等の医療従事者用として好適な衣服着用時計に関する。
【背景技術】
【０００２】
一般に、看護師等の医療従事者が腕時計を手首に着用したままケア業務を行なうと、患者の体に時計が当たり、皮膚を損傷せしめてしまう危険があった。また、医療従事者が腕時計を着用していると、手洗いの際の洗い残し、従ってまた微生物の増殖が生じ易い、と云う問題があった。
【０００３】
そこで、従来は時計を医療従事者の衣服に取り付けて使用することも行なわれていたが、患者の脈拍や呼吸等を測定するために衣服に取り付けられた時計を見ていると、当該測定時には患者から目線が離れることになるので、患者の観察は当然に不可能になると云う問題があった。また、時計を衣服に取り付けたまま使用した場合には、点滴の滴下数を調整する際、時計が医療従事者の視野の中に入らないので、時計の秒針と滴下数を眼前で合わせることができない。そのため、適切なスピードで輸液を投与することができず、輸液管理ミスなど重大な事故の原因ともなりかねない問題があった。
【考案の開示】
【考案が解決しようとする課題】
【０００４】
本考案は上記の如き従来の問題に鑑み、目的とする視野の中に時計を自由に位置せしめることができる衣服着用時計を提供することを課題としている。
【課題を解決するための手段】
【０００５】
本考案は、紐状物を出入自在に巻き取り収納したリール部の外側に、衣服への装着固定具を付設すると共に、当該紐状物の先部に時計を取り付けた衣服着用時計により上記課題を解決したものである。
【考案の効果】
【０００６】
本考案に係る時計は、装着固定具を用いて衣服の胸ポケットやウエストベルト等にリール部を装着することにより、当該リール部に吊り下げられた状態で着用することができるので、手の汚染を最小限にし、確実な手洗いが可能となる。しかも、この場合紐状物はリール部内に巻き取り収納されているので、極めてコンパクトな状態となっている。
【０００７】
一方、時計を手で持ち、外方に引ければ、時計に取り付けられている紐状物がリール部から繰り出されて所定の部位まで延びるので、目的とする視野の中に時計を自由に位置せしめることができる結果、例えば脈拍や呼吸の測定の際にも患者の胸部の動きや呼吸状態などの観察を行なうことが可能となる。更に、点滴の際にも滴下筒のわきまで時計を移動せしめることができるので、秒針を見ながら点滴の滴下数を調整することが可能となり、輸液管理ミスによる医療事故を未然に防止することができる。
【０００８】
また、上記の如き測定終了後においては、延び出た紐状物がリール部に巻き戻し収納され、再びコンパクトな吊り下げ時計の状態となる。
【考案を実施するための最良の形態】
【０００９】
本考案において、リール部は紐状物の出入が自在であれば具体的構造の如何を問わないが、自動巻き戻し機構を備えたものが、延び出た紐状物の収納操作上好ましい。
【００１０】
紐状物の材質としては、繊維、皮革、合成樹脂、金属等の如何を問わず、またその形態も丸紐状、平ベルト状、鎖状等その如何を問わない。また、紐状物の長さとしては、３０〜１００cm、特に４０〜６０cm程度が実用性に優れる。
【００１１】
衣服への装着固定具としては、特に限定されないが、例えば衣服の胸ポケット装着用としては、挾持クリップや係止ピンが、また例えば衣服のウエストベルト装着用としては、逆Ｕ字状折曲片がそれぞれ好ましいものとして挙げられる。
【００１２】
時計は、固定的に紐状物に取り付けられていても良いが、着脱自在に取り付けるのが、リール部又は時計の一方が故障や破損した場合、取り外し交換を行なうことができ、望ましい。
また、この場合、着脱自在の取り付けは、例えば弾性係脱有端リング等の着脱自在の連結具を介して行なうのが簡便で実用性に優れる。
【００１３】
紐状物の時計への取り付けは、時計の文字盤の１２時方向側としても良いが、時計の文字盤の６時方向側、すなわち吊り下げ状態では文字盤の１２時が下方位となるようにするのが、時計を手に持ち紐状物をリール部から引き出した場合、自然に上下反転して文字盤の１２時が上方位となるので、見易さの点でより望ましい。
【００１４】
而して、本考案衣服着用時計は、看護師等の医療従事者用時計として特に有用性が認められる。
【実施例】
【００１５】
以下一実施例を示す図面と共に本考案を更に説明する。
【００１６】
１０はリール部で、その内部には金属製鎖から成る紐状物２０が出入自在に巻き取り収納されていると共に、紐状物２０が引き出された後において、該紐状物２０を内部に自動的に巻き戻す機構（図示省略）が備えられている。
１１は衣服５０への装着固定具で、挾持クリップから成り、リール部１０の後背面外側に付設されている。
【００１７】
紐状物２０は約５０cmの長さを有し、その基部がリール部１０の巻き取り軸（図示省略）に取り付け固定されている一方、その先部にはリール部１０の紐状物出入口から該先部が没入してしまうのを防止するストッパー部２１が連結され、当該リール部１０の紐状物出入口から突出せしめられている。
【００１８】
３０は時計で、その文字盤の６時方向側の外側に有端リング３１が取り付けられ、この有端リング３１と前記紐状物２０のストッパー部２１が、弾性係脱有端リングからなる連結具４０を介して着脱自在に取り付けられている。
【００１９】
次に、上記の実施例に係る本考案衣服着用時計の使用方法を説明する。
まず、装着固定具１１を用いて、例えば看護師の衣服５０の胸ポケット５１にリール部１０を装着する。この時、紐状物２０はリール部１０内に巻き取り収納されているのでコンパクトな状態となっている。また、時計３０は、文字盤の１２時が下方位となった状態で紐状物２０ストッパー部２１から吊り下げられている（図１参照）。
【００２０】
次いで、脈拍測定や点滴の際等、時計を見る必要がある場合には、時計３０を手で持ち、外方に引けば、紐状物２０がリール部１０から繰り出されて、所定の部位まで延びるので、目的とする視野の中に時計３０を置くことができる（図２参照）。この時、時計３０は自然に上下反転した状態となるので、文字盤の１２時が上方位となる。
【００２１】
また、当該測定等の終了後においては、手をゆるめることにより、延び出ていた紐状物２０が自動的にリール部１０内に巻き戻し収納され、再びコンパクトな吊り下げ時計の状態となる。
【図面の簡単な説明】
【００２２】
【図１】本考案衣服着用時計の正面説明図。
【図２】本考案衣服着用時計の使用状態を示す模式側面説明図。
【符号の説明】
【００２３】
１０：リール部
１１：装着固定具
２０：紐状物
２１：ストッパー部
３０：時計
３１：有端リング
４０：連結具
５０：衣服
５１：胸ポケット
【図１】
0003109895.tif 000003
【図２】
0003109895.tif 000004